(57)【特許請求の範囲】
【請求項１】
同一商品を収納する複数のコラムに対応した複数の商品選択ボタンのうちいずれの商品選択ボタンを押したとしても、あらかじめ設定されたコラムの搬出順序に従って商品をコラムから搬出する交互販売グループの設定機能を備えた自動販売機において、収納商品の連続搬出モードとし、前記複数の商品選択ボタンのうちいずれかの商品選択ボタンを押すことにより、１つのコラムに収納されている商品を全て連続して搬出した後、全ての商品を連続搬出したコラムが前記交互販売グループに設定されているコラムである場合には、同じ交互販売グループに設定されている他のコラムに収納されている商品を続けて全て連続して搬出する制御手段を備えたことを特徴とする自動販売機。
【請求項２】
請求項１に記載の自動販売機において、同じ交互販売グループに設定されているコラムの商品を全て搬出した後、交互販売グループを解除するか継続するかを指定する指定手段を備えたことを特徴とする自動販売機。
【発明の詳細な説明】
【技術分野】
【０００１】
本発明は、複数のコラムに同一商品を収納した場合、この複数のコラムに対応した商品選択ボタンの中でどのボタンを操作しても、予め設定された順序により販売するようにした交互販売グループの設定機能を備えた自動販売機に関する。
【背景技術】
【０００２】
従来、同一商品を収納した複数コラムの販売を均一にすることを目的とした交互販売グループの設定機能を備えた自動販売機が知られており、この場合、商品選択ボタンの中でどのボタンを操作しても、予め設定された順序により販売するものである。
【０００３】
この交互販売グループの設定機能を備えた自動販売機において、複数のコラムに収納されている同一商品の中で、一つのコラムのみ商品入れ替えを行った時に、交互販売グループの設定変更を忘れた場合には、商品入れ替え前の交互販売が適用され、選択商品と異なる商品が販売されるという問題があった。
【０００４】
そこで、この問題を解決するために、テスト販売にてコラムに収納している商品を払い出し、売切れとなると、そのコラムと交互販売グループに設定されているコラムに対応する販売可能表示手段を点滅させて、交互販売グループに登録されていることを警告表示させ、次に、商品選択が行われたコラムの商品を１個ずつテスト販売する自動販売機が知られている（特許文献１）。
【先行技術文献】
【特許文献】
【０００５】
【特許文献１】特開平１０−４９７４３号公報
【発明の概要】
【発明が解決しようとする課題】
【０００６】
しかしながら、上記自動販売機では、交互販売グループのコラムを全て他の商品に交換するため、交互販売グループの対象コラムについて商品を全て払い出したい場合であっても、上記のように商品選択を行い１個ずつ行うか、また、交互販売グループを作業員が記憶している場合のみ、作業員が、コラムを指定して、再度、テスト販売を行う必要があり、作業が面倒であった。
【０００７】
そこで、本発明は、交互販売グループが設定されているコラムの商品入れ替えに関し、作業の効率化を図ることのできる自動販売機を提供することを目的とする。
【課題を解決するための手段】
【０００８】
前述の課題を解決するために、本発明は、同一商品を収納する複数のコラムに対応した複数の商品選択ボタンのうちいずれの商品選択ボタンを押したとしても、あらかじめ設定されたコラムの搬出順序に従って商品をコラムから搬出する交互販売グループの設定機能を備えた自動販売機において、収納商品の連続搬出モードとし、前記複数の商品選択ボタンのうちいずれかの商品選択ボタンを押すことにより、１つのコラムに収納されている商品を全て連続して搬出した後、全ての商品を連続搬出したコラムが前記交互販売グループに設定されているコラムである場合には、同じ交互販売グループに設定されている他のコラムに収納されている商品を続けて全て連続して搬出する制御手段を備えたことを特徴とする。
【０００９】
また、同じ交互販売グループに設定されているコラムの商品を全て搬出した後、交互販売グループを解除するか継続するかを指定することを特徴とする。
【発明の効果】
【００１０】
本発明は、収納商品の搬出モードとし、１つのコラムの商品を全て搬出した後、搬出したコラムが前記交互販売グループに設定されているコラムである場合には、同じ交互販売グループに設定されているコラムの商品を全て搬出することにより、商品入れ替え時間の短縮を図ることが可能となり、また、同じ交互販売グループに設定されているコラムの商品を全て搬出することで、商品の入替え忘れも防止することができる。
【図面の簡単な説明】
【００１１】
【図１】本発明の一実施の形態である自動販売機の制御装置を示す概略構成ブロック図である。
【図２】本発明の対象となる自動販売機の概略正面図である。
【図３】本発明の一実施の形態を示すフローチャートである。
【発明を実施するための形態】
【００１２】
以下に、本発明の実施の形態を示す図面に基づいて説明する。
【００１３】
図２は、本発明の実施の対象となる自動販売機の概略正面図の一例を示すものであり、自動販売機２０は、その本体キャビネット前面に外扉２１を備えており、本体キャビネット内には複数（ｎ個）のコラムを備えている。このコラムは、複数種類の商品を個別に収納する一方、コラムと商品選択ボタン２８との対応関係を予め設定しておくことで、商品選択ボタン２８が押され、販売指令が与えられた場合に押された商品選択ボタン２８に対応する商品の搬出を行うものである。
【００１４】
その外扉２１の前面側に外部から視認可能な商品見本２２ａを内部に配列した商品見本展示室２２、硬貨投入口２３、硬貨返却口２３ａ、紙幣挿入口２４、返却レバー２５、商品取出口２６、販売中表示、紙幣受入中止表示、釣銭切表示、入金額などを表示するデジタル表示器２７、販売可能ランプ，売切ランプを内蔵する商品選択ボタン２８、シリンダー錠付きのハンドル２１ａが設けられている。
【００１５】
前記商品見本２２ａは、それぞれコラムに収納した商品を現し、商品選択ボタン２８に対応して設けられ、その商品選択ボタン２８の上方には収納する商品の冷蔵・加温状態を表示する冷温表示板２２ｂが設けられている。
【００１６】
次に、図１は、本発明の一実施の形態を示す構成ブロック図である。
【００１７】
１は自動販売機全体を制御する主制御部であり、主制御部１には、制御プログラムを格納するメモリ１ａ、商品の販売価格、コラムと商品選択ボタンとの対応関係、その他、設定データ、売上データなど種々のデータを記憶するメモリ１ｂを備えている。
【００１８】
この主制御部１には、各種設定・確認を行うための液晶表示器を備えたリモコン１１、商品搬出を行う商品搬出装置１２および庫内の商品を冷却あるいは加熱する冷熱装置１３の制御を行う本体制御部１４、硬貨投入口２３から投入された硬貨の真偽、種類などを選別し、計数および釣銭を払い出す硬貨処理装置１５、紙幣挿入口２４から挿入された紙幣の真偽、種類などを識別する紙幣識別装置１６、内部にブザーを備えるデジタル表示器２７、販売可能ランプ２８ａ，売切ランプ２８ｂを内蔵する商品選択ボタン２８などが接続されている。
【００１９】
リモコン１１は、モードキー、テスト販売キー、スタートキー、アップダウンキー、書込キー、クリアキー、終了キーなどを備え、このキー操作と商品選択ボタン２８の操作にて、交互販売グループ設定を行い、メモリ１ｂに記憶させるものである。
【００２０】
この構成において、交互販売グループ設定を行う例について説明する。
【００２１】
なお、予めコラムと商品選択ボタンとは予め１対１にて対応しているものとする。
【００２２】
まず、交互販売グループ設定について説明すると、リモコン１１のモードキーを操作して交互販売コラムの設定モードとし、交互販売グループ「１」をデジタル表示器２７に表示させ、販売可能ランプ２８ａが消灯している複数の商品選択ボタン２８を押すと、販売可能ランプが点灯し、対応するコラムが現在表示されている交互販売グループ「１」に設定され、複数の交互販売グループを設定する場合には、アップダウンキーを操作して、次の交互販売グループとし、販売可能ランプ２８ａが消灯している複数の商品選択ボタン２８を押して設定を行い、最後に終了キーを押して交互販売コラムの設定モードを終了する。
【００２３】
この実施例の場合、コラム１，２の２コラムが交互販売グループ「１」に設定されたものとする。
【００２４】
次に、商品の連続払出しについて、図３のフローチャートを用いて説明すると、自動販売機の外扉２１を開放し、リモコン１１のテスト販売キーを２回押すと、連続テスト販売モードとなる（ステップＳ０１，Ｙｅｓ）、次に、リモコン１１のアップダウンキーを操作して払い出したいコラム「１」を指定し（ステップＳ０２）、リモコン１１のスタートキーを押すと（ステップＳ０３）、指定されたコラムの商品搬出装置１２を駆動させて（ステップＳ０４）、コラムに収納されている商品を一定間隔毎に連続して搬出し、売切になると（ステップＳ０５，Ｙｅｓ）、商品搬出装置１２を停止させる（ステップＳ０６）。
【００２５】
次に、コラム「１」と同一の交互販売グループ「１」に設定されているコラムが有るかを判断する（ステップＳ０７）。
【００２６】
交互販売グループ「１」に設定されているコラムが無い場合（ステップＳ０７，Ｎｏ）、コラム「１」の投入口から商品の充填を行い（ステップＳ１４）、リモコン１１の終了キーを押して作業を終了し（ステップＳ１５）、同じ商品で、かつ、他に作業が無ければ、自動販売機の外扉２１を閉じ、最後に鍵を閉めることで作業が完了する。
【００２７】
なお、充填した商品が搬出した商品と異なる商品の場合には、商品見本２２ａの交換、価格設定などの作業を行うことになる。
【００２８】
一方、本実施例の場合、同一の交互販売グループ「１」に設定されているコラムが存在し、コラム「２」がコラム「１」と交互販売グループ「１」に設定されているため、同一の交互販売グループ「１」に設定されているコラムが有りとなり（ステップＳ０７，Ｙｅｓ）、次コラムの搬出となる。
【００２９】
そこで、リモコン１１のスタートキーを押して（ステップＳ０８，Ｙｅｓ）、コラム「２」の商品搬出装置１２を駆動させて（ステップＳ０９）、コラムに収納されている商品を一定間隔毎に連続して搬出し、売切になると（ステップＳ１０，Ｙｅｓ）、商品搬出装置１２を停止させ（ステップＳ１１）、ステップＳ０８に戻り、交互販売グループ「１」は２コラムであるため、次コラムはなく（ステップＳ０８，Ｎｏ）、ステップＳ１２に進む。
【００３０】
ステップＳ１２では、リモコン１１の液晶画面に交互販売グループ「１」を解除する否かの画面が表示され、作業員は、交互販売グループ「１」を解除するか否かを入力するもので、搬出したコラム「１」，「２」にそれぞれ異なる商品を投入する場合には、コラム「１」とコラム「２」との交互販売グループ「１」を解除するため、リモコン１１の液晶画面に交互販売グループ「１」を解除する画面が表示された状態でリモコン１１の書込キーを押すことにより（ステップＳ１２，Ｙｅｓ）、交互販売グループ「１」が解除され（ステップＳ１３）、この後、投入口から商品の充填を行い（ステップＳ１４）、リモコン１１の終了キーを押して作業を終了し（ステップＳ１５）、新しい商品であるため、商品見本２２ａの交換、価格設定などの作業を行い、他に作業が無ければ、自動販売機の外扉２１を閉じ、最後に鍵を閉めることで作業が完了する。
【００３１】
一方、ステップＳ１２にて、同一の交互販売グループ「１」を解除しなければ（ステップＳ１２，Ｎｏ）、投入口から商品の充填を行い（ステップＳ１４）、リモコン１１の終了キーを押して作業を終了し（ステップＳ１５）、他に作業が無ければ、自動販売機の外扉２１を閉じ、最後に鍵を閉めることで作業が完了する。
【００３２】
この交互販売グループ「１」を解除しない場合としては、例えば、同じ商品で季節により加温商品から冷蔵商品に入れ替えた際には冷温表示板２２ｂおよび冷温切替の作業を行い、あるいは、払い出した商品と異なる新たな商品にて交互販売グループ「１」を継続する場合には、商品見本２２ａの交換、価格設定などの作業を行うことになる。
【００３３】
なお、外扉２１を開放し、連続テスト販売モードではないときには（ステップＳ０１，Ｎｏ）、他の作業を行うことになる。
【００３４】
このように、交互販売グループが設定されているコラムの商品を入れ替える場合には、必ず、全ての対象コラムの商品を払い出すようにしたため、加温商品と冷蔵商品の入れ替え、また、新商品への入れ替えが容易となる。
【００３５】
さらに、全ての対象コラムの商品を払い出した後、交互販売グループ設定の継続または解除を指定できることにより、新たな充填する商品に応じた対応が可能となり、設定ミスも低減する。
【符号の説明】
【００３６】
１          主制御部
１ａ        メモリ
１ｂ        メモリ
１１        リモコン
２０        自動販売機
２７        デジタル表示器
２８        商品選択ボタン
【図１】
0005678605.tif 000002
【図２】
0005678605.tif 000003
【図３】
0005678605.tif 000004